(57)【要約】【課題】  低コストで製造できるとともに、製造時及びメンテナンス時の作業性もよく、しかも簡単な構造でマイクロフォンと被測定物との相対位置を設定することができる騒音測定システムを提供する。【解決手段】  本発明の騒音測定システムにおいては、回転機構４１の動作による回転テーブル２１の回転と、回転機構４２の動作によるアーム３の半円弧上での回転により、回転テーブル２１に載置された被測定物５０に対するマイクロフォン１０の相対位置を所定の半球面上で自由に設定することができる。つまり、２つの回転機構のみの簡単な構成によって、一つのマイクロフォン１０の被測定物５０に対する位置関係を自由に設定することができる。【選択図】  図３
2005195396.tif 000002
【特許請求の範囲】
【請求項１】
被測定物を載せる回転テーブルと、
前記回転テーブルを、その前記被測定物の載置面に垂直な第１の回転軸を中心に回転させる第１の回転機構と、
一端が前記回転テーブルの外側で前記載置面に平行に設けられた第２の回転軸を中心に回転可能に取り付けられるとともに、前記被測定物の方向に延びるように設けられ、その他端部に前記被測定物に向けたマイクロフォンが設置されたアームと、
前記アームを前記第２の回転軸周りに回転させる第２の回転機構と、
前記第１の回転機構及び前記第２の回転機構を回転制御して、前記マイクロフォンと前記被測定物との相対位置を、予め設定された複数の測定位置に順次設定する回転制御手段と、
前記複数の測定位置における前記マイクロフォンの出力値に基づいて、前記被測定物の音響パワーレベルを演算して前記被測定物の騒音を測定する騒音演算手段と、
を備えたことを特徴とする騒音測定システム。
【請求項２】
前記騒音演算手段は、前記回転制御手段による前記第２の回転機構の回転制御により、前記アームが前記測定位置に移動した後、そのアームの位置が安定する予め定める設定時間を待って演算処理を開始することを特徴とする請求項１記載の騒音測定システム。
【請求項３】
前記アームが、前記第２の回転軸から略垂直に所定長さ延出した後、さらに略垂直に屈曲して前記被測定物の方向に延びるＬ字状に形成される一方、前記回転テーブルが円板状に形成されてその円の中心に前記第１の回転軸が設けられており、さらに、
前記回転テーブルの外径とほぼ同じ径を有する円孔を有し、その円孔に前記回転テーブルを配置させるとともに、前記回転テーブルの載置面と同一平面上に、前記被測定物の騒音の反射を低減するための予め定める広さの擬似平面を有する固定テーブルを備えたことを特徴とする請求項１記載の騒音測定システム。
【発明の詳細な説明】
【技術分野】
【０００１】
本発明は、被測定物が発生する騒音の音響パワーレベルを、マイクロフォンを介して測定する騒音測定システムに関する。
【背景技術】
【０００２】
近年、パーソナルコンピュータ（以下「パソコン」という）が企業から一般家庭に至るまで広範囲に普及しており、オフィスルームや書斎のみならず、会議の場や居間、或いは寝室でも使用されるのが普通になってきている。また、パソコンは深夜でも使用されることが多く、その冷却用ファンやハードディスクドライブなどの機器から発生する騒音を低減することが強く求められている。
【０００３】
このような機器の騒音測定については、従来、例えば無響室内にて測定対象となる機器から所定距離離れた位置でその音圧レベル（単一騒音）を測定することが行われていたが、これは必ずしも機器全体から放射されている騒音を表してはいない。
【０００４】
これに対して、音響パワーレベルは、機器全体が放射する音響的な総エネルギーを表すものであり、設置された環境に影響されない物理量であることから、近年では機器の騒音値を評価するために、各種の標準規格（例えばＩＳＯ７７７９等）にてその音響パワーレベルの提示が求められている。
【０００５】
この音響パワーレベルの測定は、無響室や半無響室にて、例えば籠型マイク位置固定装置を用いた騒音測定システムにより行われ、音の発生源である被測定物を中心とした半球面上の所定位置（例えば１０点）にそれぞれ取り付けられたマイクロフォンによって音圧の測定が行われる。
【０００６】
すなわち、図１０に示されるように、この籠型マイク位置固定装置１０１は、例えば大径リング状のマイク支持材固定用基台１０２に対し、半円アーチ状の複数のマイク支持材１０３を等間隔に配置して籠形状を形成し、各マイク支持材１０３がその頂点でマイク支持材連結部１０４にて連結・固定されて構成されている。そして、その半球の中心部に被測定物１５０が配置される。各マイク支持材１０３には、上記標準規格によって定められた位置にマイク固着部１０５が設けられ、そこに被測定物１５０に向けたマイクロフォン１１０がそれぞれ配置されている。つまり、従来は、これら籠型マイク位置固定装置１０１の構成部材を組み立てながら、予め定めた任意の位置にマイクロフォン１１０の位置を固定し、これらのマイクロフォン１１０の出力値に基づいて音響パワーレベルの測定及び騒音の評価が行われていた。
【０００７】
しかしながら、このような従来の騒音測定システムでは、精度の良いマイクロフォン１１０（例えば１本あたり１００万円程度）を例えば１０本も使用する必要があったため、装置が非常に高価になる。また、マイクロフォン１１０は衝撃に弱く、作業時の取り扱いによって落下させると容易に破損してしまうため、装置の製造や修理にコストが嵩むといった問題があった。
【０００８】
また、マイクロフォン１１０を保持する籠が小さい場合や大型のマイクロフォン１１０を使用した場合には、被測定物１５０の設置や固定に際して作業者が中に入ることができず、作業性が悪い。また、マイクロフォン１１０の測定位置を任意に設定する場合には、一から組み立て直して位置寸法の計測を行う必要があるため、多大な工数が必要となるといった問題もあった。
【０００９】
こうした中、例えばマイクロフォン等の測定器を３次元的に移動させる機構を設け、そのマイクロフォンの被測定物に対する相対的な位置決めを正確に行う装置が提案されている（例えば特許文献１）。
【００１０】
この装置は、具体的には、被測定物を載せる測定台と、その測定台上に立てた回転軸の周りに回転駆動するアームと、そのアームに沿って水平方向に移動するポールと、そのポールに沿って鉛直方向に移動する測定器支持部とを備えている。そして、その測定器支持部にマイクロフォンを支持し、被測定物の外周領域全体において測定台を基準にした位置にマイクロフォンを位置決めすることができるものである。
【００１１】
このような装置によれば、被測定物に対するマイクロフォンの位置を任意に設定することができるため、マイクロフォンを一つ用意すれば足り、装置の製造コストを低減することができる。また、装置の構成が上述したような籠形状ではないため、作業性が悪いといった問題も解消することができる。
【特許文献１】特開平６−１８３２０号公報
【発明の開示】
【発明が解決しようとする課題】
【００１２】
しかしながら、上記特許文献１に記載の装置では、マイクロフォンを移動する機構として、アームを測定台周りに回転させるための駆動用モータ，ポールをアーム沿って移動させるための駆動用モータ及び測定器支持部をポールに沿って移動させるための駆動用モータがそれぞれ必要となる。つまり、マイクロフォンの測定箇所への移動に３つの駆動機構が必要となるため、構成が煩雑となるといった問題があった。
【００１３】
本発明はこのような点に鑑みてなされたものであり、低コストで製造できるとともに、製造時及びメンテナンス時の作業性もよく、しかも簡単な構造でマイクロフォンと被測定物との相対位置を設定することができる騒音測定システムを提供することを目的とする。
【課題を解決するための手段】
【００１４】
本発明では上記問題を解決するために、図１〜図４に示すように、被測定物５０を載せる回転テーブル２１と、前記回転テーブル２１を、その前記被測定物５０の載置面に垂直な第１の回転軸２５を中心に回転させる第１の回転機構４１と、一端が前記回転テーブル２１の外側で前記載置面に平行に設けられた第２の回転軸６１ａを中心に回転可能に取り付けられるとともに、前記被測定物５０の方向に延びるように設けられ、その他端部に前記被測定物５０に向けたマイクロフォン１０が設置されたアーム３と、前記アーム３を前記第２の回転軸６１ａ周りに回転させる第２の回転機構４２と、前記第１の回転機構４１及び前記第２の回転機構４２を回転制御して、前記マイクロフォン１０と前記被測定物５０との相対位置を、予め設定された複数の測定位置に順次設定する回転制御手段と、前記複数の測定位置における前記マイクロフォン１０の出力値に基づいて、前記被測定物５０の音響パワーレベルを演算して前記被測定物５０の騒音を測定する騒音演算手段と、を備えたことを特徴とする騒音測定システムが提供される。
【００１５】
ここでいう「被測定物５０」には、パソコンの冷却用ファンやハードディスクドライブその他の各種電気機器において騒音を発生する部品又は装置を含む。
このような騒音測定システムによれば、第１の回転機構４１の動作による回転テーブル２１の回転と、第２の回転機構４２の動作によるアーム３の半円弧上での回転により、回転テーブル２１に載置された被測定物５０に対するマイクロフォン１０の相対位置を自由に設定することができる。つまり、上述した引用文献１記載の技術のようにマイクロフォンの測定箇所への移動に３つの駆動機構を用いないでも、これら２つの回転機構４１，４２のみの簡単な構成によってマイクロフォン１０の被測定物５０に対する位置関係を自由に設定することができる。
【００１６】
また、第１の回転機構４１及び第２の回転機構４２の動作によって、被測定物５０に対するマイクロフォン１０の相対位置を自由に変更することができるため、マイクロフォン１０及びこれを支持する部材を複数設ける必要がなくなる。
【発明の効果】
【００１７】
本発明の騒音測定システムによれば、第１の回転機構及び第２の回転機構のみの簡単な構成によって、一つのマイクロフォンの被測定物に対する位置関係を自由に設定することができる。このため、その機構が簡略化された分、低コストで構築することができる。
【００１８】
また、このように機構が簡略化されてマイクロフォン及びこれを支持する部材を複数設ける必要がなくなるため、回転テーブル上のスペースを十分に確保することができ、メンテナンス等の作業性が向上する。
【発明を実施するための最良の形態】
【００１９】
以下、本発明の実施の形態を図面に基づいて詳細に説明する。
［第１の実施の形態］
まず、本発明の第１の実施の形態について説明する。図１は当該騒音測定システムを構成する騒音測定装置の概略構成を表す斜視図であり、図２はその騒音測定装置の平面図である。また、図３は図２のＡ−Ａ矢視断面図であり、図４は図２のＢ方向からみた側面図である。
【００２０】
図１に示されるように、本実施の形態の騒音測定装置１は、パソコンの冷却用ファンやハードディスクドライブ等の被測定物５０の騒音を測定する装置として構成され、被測定物５０を載せるテーブル２と、被測定物５０に向けたマイクロフォン１０が設置された一本のアーム３と、これらテーブル２及びアーム３を回転駆動するための回転機構を備えた装置本体４とから構成されている。
【００２１】
図２〜図４に示されるように、装置本体４は、ステンレス製の長方形箱状のケース４０に、テーブル２を回転駆動する回転機構４１（第１の回転機構），アーム３を回転させるための回転機構４２（第２の回転機構）等を配設して構成されている。
【００２２】
テーブル２は、装置本体４に回転可能に支持された回転テーブル２１と、回転テーブル２１を取り囲むように配置された固定テーブル２２とから構成されている。回転テーブル２１は、円板状に形成され、その上面が被測定物５０の載置面を構成しており、その中心にはその載置面に対して垂直に延びる回転軸２５（第１の回転軸）の上端部が嵌合固定されている。
【００２３】
一方、装置本体４のケース４０の上面には、回転テーブル２１より小さな円板状のベース２３がその回転テーブル２１と同軸状に配置されて、回転テーブル２１を下方から支持している。このベース２３は、その下面周縁近傍に周方向に等間隔で設けた３箇所の固定片２４を介して固定されている。このベース２３の中心部には、上記回転軸２５の上端部を所定のクリアランスで挿通する挿通孔２３ａが形成されている。さらに、ケース４０の上面には、回転テーブル２１の回転軸２５を回転可能に軸支する軸受機構５１が設けられ、この軸受機構５１の下方に駆動モータ４３が懸架されている。駆動モータ４３の出力軸と回転軸２５は、カップリング５２によって連結されており、駆動モータ４３を駆動制御することによって、回転テーブル２１を回転軸２５の周りに回転制御できるようになっている。
【００２４】
固定テーブル２２は、長方形板の片側の長辺に半円状の切欠き部が形成された凹状部材２２ａ，２２ｂを、その切欠き部を突き合わせるように配置して形成される。すなわち、固定テーブル２２は、凹状部材２２ａ，２２ｂの突き合わせにより、中央に回転テーブル２１の外径とほぼ同じ径を有する円孔２２ｃが形成された略正方形状の板状体として構成されている。この固定テーブル２２の上面は、回転テーブル２１の載置面と同一平面上に広がって、被測定物５０を所定の均一な平面上に載置できるようになっている。
【００２５】
すなわち、マイクロフォン１０は、被測定物５０からの直接音だけでなく、周囲に構造物がある場合にはそこで反射された反射音をも検出することになる。この反射音が多くなると、被測定物５０の音響パワーレベルを高精度に検出することが難しくなり、その騒音測定に影響を及ぼすことが懸念される。そこで、本実施の形態においては、被測定物５０を中心としてその騒音の反射による影響があると考えられる予め定める広さの範囲について、固定テーブル２２により回転テーブル２１の載置面に連続して障害物の無い均一な平面（擬似平面）を形成している。これにより、マイクロフォン１０が被測定物５０の反射音を検出することを減少することができ、高精度な測定を実施することができる。
【００２６】
この固定テーブル２２の４つの角隅部の下方には、固定テーブル２２を下方から水平に保持するための柱状の脚部２６がそれぞれ配設され、ケース４０の上面周縁部４箇所に突設された固定片２７との間に梁２８がそれぞれ架橋して設けられている。固定テーブル２２を構成する凹状部材２２ａ，２２ｂは、この梁２８に固定されている。
【００２７】
アーム３は、ステンレス製の丸棒材を所定の曲率で９０度湾曲させたＬ字状の本体３１を有し、その一端にマイクロフォン１０を保持固定するための保持部材３２が固定されている。この保持部材３２には、マイクロフォン１０を挿通させる挿通孔３３と、挿通孔３３に挿通されたマイクロフォン１０を把持するための把持力を付与するためのネジ機構３４が設けられている。本体３１の他端は、回転機構４２によって支持されている。
【００２８】
回転機構４２は、アーム３の端部を挿通嵌合して支持するとともに、そのアーム３の端部と直角な水平方向に延びる回転軸６１ａ（第２の回転軸）を備えた円柱状の回転部材６１と、この回転部材６１をアーム３を挟むようにして軸支する一対の軸受機構６２と、ケース４０の内部に懸架されて回転部材６１を回転駆動する駆動モータ４４とから構成されている。回転部材６１と駆動モータ４４とは、各々の軸端部に設けられたプーリ６３，６４とこれらを連結する回転ベルト６５によって接続されている。駆動モータ４４を駆動制御することによって、図４に二点鎖線で示されるように、アーム３を回転軸６１ａの周りに回転制御できるようになっている。そして、この回転制御によって、マイクロフォン１０を同図に一点鎖線で示される所定の半円軌道上で動かすことができる。
【００２９】
本実施の形態においては、図示のように、被測定物５０を回転テーブル２１の中央に配置し、マイクロフォン１０をこの被測定物５０の真上を通る軌道上で移動制御できるように配置した例を示したが、例えば図３に点線にて示されるように、マイクロフォン１０の位置を被測定物５０の真上でない軌道上で移動制御できるように配置してもよい。これは、アーム３を手動により伸縮自在に構成したり、アーム３自体を取り替えることで、アーム３の被測定物５０への延出方向の長さを変更することにより実現することができる。また、同様にしてアーム３の高さ方向の長さを変更することにより、マイクロフォン１０の被測定物５０に対する高さ位置を変更することもできる。
【００３０】
図６はマイクロフォン１０による騒音測定位置の例を表す説明図である。上述のように回転テーブル２１及びアーム３を回転制御することによって、同図に示すように、マイクロフォン１０の被測定物５０に対する相対位置を所定の半球面上の任意の測定位置（同図では１０点の測定位置が示されている）に設定することができる。
【００３１】
次に、以上のように構成された騒音測定装置１を含む騒音測定システムのシステム構成について説明する。図５は当該システムの概略構成を表すブロック図である。
本実施の形態の騒音測定システムは、例えば無響室や半無響室など外部騒音の少ない環境下で構築され、パソコン７０からの入力により、被測定物５０に対するマイクロフォン１０の相対位置の設定制御，被測定物５０への電源供給，被測定物５０の動作モードの設定，騒音測定結果の編集等ができるように構成されている。
【００３２】
すなわち、当該騒音測定システムは、パソコン７０と騒音測定装置１との間に、回転テーブル２１を回転駆動する駆動モータ４３と、固定テーブル２２を回転駆動する駆動モータ４４とを駆動制御して、マイクロフォン１０と被測定物５０との相対位置を制御するためのモータ制御部８０を備えている。
【００３３】
このモータ制御部８０は、Ｉ／Ｏインタフェース８１を介してパソコン７０とのデータ通信を行い、パソコン７０からの回転テーブル２１に向けた制御指令信号をコントローラ８２で処理し、モータドライバ８３を介して駆動モータ４３を駆動制御する。また、パソコン７０からのアーム３に向けた制御指令信号をコントローラ８４で処理し、モータドライバ８５を介して駆動モータ４４を駆動制御する。このようにして、マイクロフォン１０の被測定物５０に対する相対位置を、図６に示す予め設定した測定位置に順次設定し、マイクロフォン１０による音響パワーレベルの測定を行う。
【００３４】
尚、駆動モータ４４の駆動制御によってアーム３が所定の測定位置に移動しても、そのアーム３の移動・静止による揺れが残ることがある。そこで、この音響パワーレベルの演算処理は、駆動モータ４４の駆動制御によってアーム３が所定の測定位置に移動した後、そのアーム３の揺れが収まって安定する予め定める設定時間（例えば３秒）を待って開始される。尚、この設定時間については、実験等により適切な値が設定されることになる。
【００３５】
マイクロフォン１０にて検出された検出信号は、騒音測定機９２に入力されて音響パワーレベルとして演算処理され、パソコン７０に順次入力される。パソコン７０では、騒音測定機９２から入力された騒音データを、内部メモリに設定された所定の設定ファイル７１（データ記憶手段）に順次格納し、必要に応じて所定のアプリケーションを利用した編集処理を行う。また、パソコン７０からの入力によって所定の電源制御回路９１を制御して被測定物５０に供給する電源電圧や被測定物５０の動作モードを設定変更することができる。
【００３６】
以上に説明したように、本実施の形態の騒音測定システムにおいては、回転機構４１の動作による回転テーブル２１の回転と、回転機構４２の動作によるアーム３の半円弧上での回転により、回転テーブル２１に載置された被測定物５０に対するマイクロフォン１０の相対位置を所定の半球面上で自由に設定することができる。つまり、２つの回転機構のみの簡単な構成によって、一つのマイクロフォン１０の被測定物５０に対する位置関係を自由に設定することができる。
【００３７】
また、回転機構４１及び回転機構４２の動作によって、被測定物５０に対するマイクロフォン１０の相対位置を所定の半球面上で自由に変更することができるため、マイクロフォン１０及びこれを支持する部材を複数設ける必要がなくなるため、回転テーブル２１上のスペースを十分に確保することができ、メンテナンスや部品の交換等の作業性が向上する。
【００３８】
さらに、回転テーブル２１の外側にこれに連続した固定テーブル２２による擬似平面を構成したため、被測定物５０の騒音の反射を減少することができ、高精度な騒音測定評価を実現することができる。
【００３９】
尚、本実施の形態において、パソコン７０及びモータ制御部８０が回転制御手段に該当し、パソコン７０及び騒音測定機９２が騒音演算手段に該当する。また、パソコン７０及び電源制御回路９１が設定手段に該当する。
【００４０】
［第２の実施の形態］
次に、本発明の第２の実施の形態について説明する。図７は本実施の形態にかかる騒音測定システムを構成する騒音測定装置の概略構成を表す平面図であり、図８はその騒音測定装置に設置されるプレナムボックスの構成を表す斜視図であり、図９は本実施の形態のマイクロフォンによる騒音測定位置の例を表す説明図である。
【００４１】
尚、本実施の形態は、騒音測定装置にプレナムボックス（標準試験箱）を設置した点を除けば上記第１の実施の形態の構成とほぼ同様であるため、同様の構成部分については同一の符号を付す等してその説明を省略する。
【００４２】
図７に示すように、本実施の形態の騒音測定装置２０１においては、回転テーブル２１上に、密閉された空間を形成可能な個室からなるプレナムボックス２１０を配置している。このプレナムボックス２１０は、その前壁面に被測定物であるファン２５０を設置し、後壁面にその開口量を調整可能な排出口２２０を形成したものである。すなわち、一般に、ファンは送風対象となる空間の通風状態によりその騒音の程度が変化する。このため、本実施の形態では、プレナムボックス２１０の排出口２２０の開口量を変化させた状態でファン２５０の音響パワーレベルを測定することで、ファン２５０の騒音特性の評価をするものである。
【００４３】
図８に示すように、プレナムボックス２１０は、複数の梁を接合して形成された直方体形状の枠体２１１の前後に部分的に樹脂製のパネル２１２，２１３を装着し、その前面側パネル２１２の中央にファン２５０を設置し、後面側のパネル２１３に所定の大きさの開口部からなる排出口２２０を形成している。また、この排出口２２０を閉塞可能なスライダ２２１が設けられており、このスライダ２２１を手動で動かすことによってその開口量を調整できるようになっている。枠体２１１のパネル２１２，２１３以外の部分には、透過性のポロエステルフィルムが装着され、プレナムボックス２１０の内部を外部から視認可能に覆っている。また、プレナムボックス２１０の内部には、その内部圧力（静圧）を検出するための図示しない圧力センサが設けられており、その出力値を図示しないマノメータを介して上述したパソコン７０に取り込めるようになっている。
【００４４】
このように構成されたプレナムボックス２１０は、図７に示されるように、回転テーブル２１の上面に設置された４つの止め金具２０５によって四方から押えられるようにして固定される。本実施の形態において、この止め金具２０５は、ファン２５０が回転テーブル２１の中心位置にくるようにプレナムボックス２１０が配置されるような位置に設置されている。
【００４５】
以上の構成において、上述した第１の実施の形態と同様に、パソコン７０からの入力により、ファン２５０に対するマイクロフォン１０の相対位置の設定制御，ファン２５０への電源供給，ファン２５０の動作モードの設定，騒音測定結果の編集等ができるように構成されている。
【００４６】
すなわち、当該騒音測定システムにおいては、パソコン７０から制御指令信号を出力してマイクロフォン１０のファン２５０に対する相対位置を、図９に示す予め設定した測定位置に順次設定し、マイクロフォン１０による騒音検出を行う。
【００４７】
マイクロフォン１０にて検出された検出信号は、騒音測定機９２に入力されて騒音値として演算処理され、圧力センサにて検出された検出信号とともにパソコン７０に順次入力される。パソコン７０では、騒音測定機９２から入力された騒音データ，マノメータを介して入力された圧力データ，及び排出口２２０の開口量に基づく通風量を、内部メモリに設定された所定の設定ファイル７１に順次格納し、必要に応じて所定のアプリケーションを利用した編集処理を行う。例えば、所定の内部圧力（静圧）に設定したときの通風量に対する騒音値を算出することで、ファン２５０の騒音特性を評価することができる。
【００４８】
尚、本実施の形態においても、パソコン７０からの入力によって所定の電源制御回路９１を制御してファン２５０に供給する電源電圧やファン２５０の動作モード（風量など）を設定変更することができる。
【００４９】
以上に説明したように、本実施の形態の騒音測定システムにおいても、回転機構４１の動作による回転テーブル２１の回転と、回転機構４２の動作によるアーム３の半円弧上での回転により、回転テーブル２１に載置されたプレナムボックス２１０のファン２５０に対するマイクロフォン１０の相対位置を所定の半球面上で自由に設定することができる。このため、上記第１の実施の形態と同様の効果を得ることができる。
【００５０】
尚、本実施の形態において、パソコン７０及び電源制御回路９１が風量制御手段に該当し、圧力センサが静圧測定手段に該当する。
以上、本発明の好適な実施の形態について説明したが、本発明はその特定の実施の形態に限定されるものではなく、本発明の精神の範囲内での変化変形が可能であることはいうまでもない。
【００５１】
例えば、上記実施の形態では、図６及び図９にて示したように、所定の半球面上にマイクロフォン１０の測定位置を設定した例を示したが、半球面上でなく直方体面上やその他の測定位置に設定することもできる。
【００５２】
また、例えば図５において、パソコン７０をＬＡＮやインターネット等の広域ネットワークに接続し、所定の外部端末装置からの要求に従い、設定ファイル７１に記憶された該当する騒音データを抽出してその外部端末装置に提供できるようにしてもよい。この場合、パソコン７０が情報提供手段に該当する。
【００５３】
（付記１）
被測定物を載せる回転テーブルと、
前記回転テーブルを、その前記被測定物の載置面に垂直な第１の回転軸を中心に回転させる第１の回転機構と、
一端が前記回転テーブルの外側で前記載置面に平行に設けられた第２の回転軸を中心に回転可能に取り付けられるとともに、前記被測定物の方向に延びるように設けられ、その他端部に前記被測定物に向けたマイクロフォンが設置されたアームと、
前記アームを前記第２の回転軸周りに回転させる第２の回転機構と、
前記第１の回転機構及び前記第２の回転機構を回転制御して、前記マイクロフォンと前記被測定物との相対位置を、予め設定された複数の測定位置に順次設定する回転制御手段と、
前記複数の測定位置における前記マイクロフォンの出力値に基づいて、前記被測定物の音響パワーレベルを演算して前記被測定物の騒音を測定する騒音演算手段と、
を備えたことを特徴とする騒音測定システム。
【００５４】
（付記２）
前記アームは、前記第２の回転軸から略垂直に所定長さ延出した後、さらに略垂直に屈曲して前記被測定物の方向に延びるＬ字状に形成され、
前記回転テーブルは、円板状に形成されてその円の中心に前記第１の回転軸が設けられていることを特徴とする付記１記載の騒音測定システム。
【００５５】
（付記３）
前記騒音演算手段は、前記回転制御手段による前記第２の回転機構の回転制御により、前記アームが前記測定位置に移動した後、そのアームの位置が安定する予め定める設定時間を待って演算処理を開始することを特徴とする付記１記載の騒音測定システム。
【００５６】
（付記４）
前記アームが、前記第２の回転軸から略垂直に所定長さ延出した後、さらに略垂直に屈曲して前記被測定物の方向に延びるＬ字状に形成される一方、前記回転テーブルが円板状に形成されてその円の中心に前記第１の回転軸が設けられており、さらに、
前記回転テーブルの外径とほぼ同じ径を有する円孔を有し、その円孔に前記回転テーブルを配置させるとともに、前記回転テーブルの載置面と同一平面上に、前記被測定物の騒音の反射を低減するための予め定める広さの擬似平面を有する固定テーブルを備えたことを特徴とする付記１記載の騒音測定システム。
【００５７】
（付記５）
前記騒音演算手段が測定した騒音データを格納するデータ記憶手段と、
広域ネットワークを介して接続された所定の外部端末装置からの要求に従い、前記データ記憶手段に記憶された該当する前記騒音データを抽出して前記外部端末装置に提供する情報提供手段と、
を備えたことを特徴とする付記１記載の騒音測定システム。
【００５８】
（付記６）
前記被測定物への電源供給及び前記被測定物の動作モードの設定をするための設定手段を備えたことを特徴とする付記１記載の騒音測定システム。
【００５９】
（付記７）
前記回転テーブルに載置され、所定の内部空間を形成して外部と隔離するプレナムボックスと、
前記プレナムボックスの側壁に設けられ、前記プレナムボックスへ外部からの風を導入するための前記被測定物としてのファンと、
前記ファンの回転数を制御して前記プレナムボックスへ導入する風量を制御する風量制御手段と、
前記プレナムボックスの側壁に設けられ、前記ファンから導入された風を外部に排出するための開口部からなり、その開口部の開口量を調整可能に構成された排出口と、
前記プレナムボックス内の静圧を測定するための静圧測定手段と、
を備えたことを特徴とする付記１記載の騒音測定システム。
【図面の簡単な説明】
【００６０】
【図１】第１の実施の形態にかかる騒音測定システムを構成する騒音測定装置の概略構成を表す斜視図である。
【図２】第１の実施の形態の騒音測定装置の平面図である。
【図３】図２のＡ−Ａ矢視断面図である。
【図４】図２のＢ方向からみた側面図である。
【図５】第１の実施の形態にかかる騒音測定システムの概略構成を表すブロック図である。
【図６】第１の実施の形態のマイクロフォンによる騒音測定位置の例を表す説明図である。
【図７】第２の実施の形態にかかる騒音測定システムを構成する騒音測定装置の概略構成を表す斜視図である。
【図８】第２の実施の形態にかかる騒音測定装置に設置されるプレナムボックスの構成を表す斜視図である。
【図９】第２の実施の形態のマイクロフォンによる騒音測定位置の例を表す説明図である。
【図１０】従来の騒音測定システムを構成する騒音測定装置の概略構成を表す斜視図である。
【符号の説明】
【００６１】
１，２０１  騒音測定装置
２  テーブル
３  アーム
４  装置本体
１０  マイクロフォン
２１  回転テーブル
２２  固定テーブル
２３  ベース
２５  回転軸
４０  ケース
４１  回転機構
４２  回転機構
４３，４４  駆動モータ
５０  被測定物
６１  回転部材
６１ａ  回転軸
７０  パソコン
７１  設定ファイル
８０  モータ制御部
９１  電源制御回路
９２  騒音測定機
２１０  プレナムボックス
２２０  排出口
２２１  スライダ
２５０  ファン
【図１】
2005195396.tif 000003
【図２】
2005195396.tif 000004
【図３】
2005195396.tif 000005
【図４】
2005195396.tif 000006
【図５】
2005195396.tif 000007
【図６】
2005195396.tif 000008
【図７】
2005195396.tif 000009
【図８】
2005195396.tif 000010
【図９】
2005195396.tif 000011
【図１０】
2005195396.tif 000012